(57)【要約】  インダクタンス値が大きく、Ｑ値が高いインダクタを備えた、挿入損失の小さい積層型ＬＣフィルタを提供する。  誘電体層１ａ〜１ｓが積層された積層体１と、第２線路状導体パターン８ａ〜８ｄ、第３線路状導体パターン９ａ〜９ｄ、第１線路状導体パターン１０ａ〜１０ｄと、キャパシタ導体パターン５ａ〜５ｆと、グランド導体パターン６ａ、６ｂと、ビア導体４ａ〜４ｏと、を備え、積層体１を誘電体層の積層方向に透視したとき、第１インダクタＬ１において、第１線路状導体パターン１０ａ、１０ｃと第３線路状導体パターン９ａ、９ｃとが交差し、第２インダクタＬ２において、第１線路状導体パターン１０ｂ、１０ｄと第３線路状導体パターン９ｂ、９ｄとが交差するようにする。
2018100918.tif 000002
【特許請求の範囲】
【請求項１】
複数の誘電体層が積層された積層体と、
前記誘電体層の層間に形成された複数の線路状導体パターンと、
前記誘電体層の層間に形成された複数のキャパシタ導体パターンと、
前記誘電体層の層間に形成された少なくとも１つのグランド導体パターンと、
前記誘電体層を貫通して形成された複数のビア導体と、を備え、
前記ビア導体と前記線路状導体パターンとが、交互に接続されることによって複数のインダクタが構成され、
前記キャパシタ導体パターンと前記グランド導体パターンとの間の容量、または、前記キャパシタ導体パターン同士の間の容量によって複数のキャパシタが構成され、
前記インダクタと前記キャパシタとが接続されて複数のＬＣ共振器が構成された積層型ＬＣフィルタであって、
少なくとも１つの前記インダクタが、少なくとも３つの前記線路状導体パターンを含み、前記積層体を前記誘電体層の積層方向に透視したとき、当該インダクタが含む２つの前記線路状導体パターンが、相互に交差している積層型ＬＣフィルタ。
【請求項２】
少なくとも１つの前記インダクタが、少なくとも第１線路状導体パターンと第２線路状導体パターンと第３線路状導体パターンとを含み、
前記キャパシタ導体パターンと前記第１線路状導体パターンとが前記ビア導体によって接続され、
前記第１線路状導体パターンと前記第２線路状導体パターンとが前記ビア導体によって接続され、
前記第２線路状導体パターンと前記第３線路状導体パターンとが前記ビア導体によって接続され、
前記第３線路状導体パターンと前記グランド導体パターンとが前記ビア導体によって接続され、
前記積層体を前記誘電体層の積層方向に透視したとき、前記第１線路状導体パターンと前記第３線路状導体パターンとが交差している、請求項１に記載された積層型ＬＣフィルタ。
【請求項３】
前記積層体の内部に、前記第２線路状導体パターンと前記第３線路状導体パターンと前記第１線路状導体パターンとが、この順番で積層され、
前記第２線路状導体パターンと前記第３線路状導体パターンとの間の距離が、前記第３線路状導体パターンと前記第１線路状導体パターンと間の距離よりも長い、請求項２に記載された積層型ＬＣフィルタ。
【請求項４】
前記積層体の内部に、前記第２線路状導体パターンと前記第１線路状導体パターンと前記第３線路状導体パターンとが、この順番で積層され、
前記第２線路状導体パターンと前記第１線路状導体パターンとの間の距離が、前記第１線路状導体パターンと前記第３線路状導体パターンと間の距離よりも長い、請求項２に記載された積層型ＬＣフィルタ。
【請求項５】
前記交差の角度が９０°である、請求項１ないし４のいずれか１項に記載された積層型ＬＣフィルタ。
【発明の詳細な説明】
【技術分野】
【０００１】
本発明は積層型ＬＣフィルタに関し、さらに詳しくは、インダクタンス値が大きく、Ｑ値が高いインダクタを備えた、挿入損失の小さい積層型ＬＣフィルタに関する。
【背景技術】
【０００２】
複数の誘電体層が積層された積層体の内部に、インダクタとキャパシタとが形成された積層型ＬＣフィルタが、種々の電子機器に使用されている。【０００３】
そのような積層型ＬＣフィルタが、特許文献１（特開２０１４-５７２７７号公報）に開示されている。【０００４】
図１１に、特許文献１に開示された積層型ＬＣフィルタ（高周波フィルタ）１０００を示す。【０００５】
積層型ＬＣフィルタ１０００は、８層の誘電体層（絶縁体層）１０１ａ〜１０１ｈが積層された積層体１０１を備える。【０００６】
誘電体層１０１ａの下側主面に、第１入出力端子（外部電極）１０２ａと、第２入出力端子（外部電極）１０２ｂと、グランド端子（外部電極）１０３とが形成されている。【０００７】
誘電体層１０１ｂの上側主面に、２つのキャパシタ導体パターン（共振容量導体）１０４ａ、１０４ｂが形成されている。【０００８】
また、誘電体層１０１ｂに、６つのビア導体１０５ａ〜１０５ｆが形成されている。【０００９】
誘電体層１０１ｃの上側主面に、グランド導体パターン（接地導体）１０６が形成されている。【００１０】
また、誘電体層１０１ｃに、前出の４つのビア導体１０５ｃ〜１０５ｆが形成されている。また、誘電体層１０１ｃに、新たに２つのビア導体１０５ｇ、１０５ｈが形成されている。なお、異なる誘電体層に形成された符号が同一のビア導体同士は相互に接合されている。たとえば、誘電体層１０１ｂに形成されたビア導体１０５ｃと、誘電体層１０１ｃに形成された１０５ｃとは相互に接合された一体物であり、同一の符号を付している（以下、本明細書において同じ）。【００１１】
誘電体層１０１ｄの上側主面に、２つのキャパシタ導体パターン１０４ｃ、１０４ｄが形成されている。【００１２】
また、誘電体層１０１ｄに、前出の２つのビア導体１０５ｇ、１０５ｈが形成されている。また、誘電体層１０１ｄには、新たに４つのビア導体１０５ｉ〜１０５ｌが形成されている。【００１３】
誘電体層１０１ｅの上側主面に、浮き導体１０７が形成されている。【００１４】
また、誘電体層１０１ｅに、前出の６つのビア導体１０５ｇ〜１０５ｌが形成されている。また、誘電体層１０１ｅには、新たに２つのビア導体１０５ｍ、１０５ｎが形成されている。【００１５】
誘電体層１０１ｆの上側主面に、４つの線路状導体パターン（線路導体）１０８ａ〜１０８ｄが形成されている。【００１６】
また、誘電体層１０１ｆに、前出の８つのビア導体１０５ｇ〜１０５ｎが形成されている。【００１７】
誘電体層１０１ｇの上側主面に、４つの線路状導体パターン１０８ｅ〜１０８ｈが形成されている。【００１８】
また、誘電体層１０１ｇには、前出の８つのビア導体１０５ｇ〜１０５ｎが形成されている。【００１９】
誘電体層１０１ｈは、保護層であり、導体パターン、ビア導体は形成されていない。【００２０】
第１入出力端子１０２ａとキャパシタ導体パターン１０４ａとが、ビア導体１０５ａによって接続されている。また、第２入出力端子１０２ｂとキャパシタ導体パターン１０４ｂとが、ビア導体１０５ｂによって接続されている。さらに、グランド端子１０３とグランド導体パターン１０６とが、４つのビア導体１０５ｃ〜１０５ｆによって接続されている。【００２１】
積層型ＬＣフィルタ１０００は、積層体１０１の内部に、ビア導体１０５ｇ〜１０５ｎと、線路状導体パターン１０８ａ〜１０８ｈとを使って、４つのループ状のインダクタ（第１インダクタ〜第４インダクタ）が構成されている。【００２２】
まず、ビア導体１０５ｇと、線路状導体パターン１０８ａ、１０８ｅと、ビア導体１０５ｉが順番にループ状に接続されて、キャパシタ導体パターン１０４ａとグランド導体パターン１０６との間に、ループビアと呼ばれる構造の第１インダクタが構成されている。なお、第１インダクタにおいては、２つの線路状導体パターン１０８ａ、１０８ｅを１組として接続することにより、内部抵抗を小さくしてＱ値の向上をはかっている（後述する第２インダクタ〜第４インダクタにおいて同じ）。【００２３】
ビア導体１０５ｍと、線路状導体パターン１０８ｂ、１０８ｆと、ビア導体１０５ｊが順番にループ状に接続されて、キャパシタ導体パターン１０４ｃとグランド導体パターン１０６との間に、ループビア構造の第２インダクタが構成されている。【００２４】
ビア導体１０５ｎと、線路状導体パターン１０８ｃ、１０８ｇと、ビア導体１０５ｋが順番にループ状に接続されて、キャパシタ導体パターン１０４ｄとグランド導体パターン１０６との間に、ループビア構造の第３インダクタが構成されている。【００２５】
ビア導体１０５ｈと、線路状導体パターン１０８ｄ、１０８ｈと、ビア導体１０５ｌが順番にループ状に接続されて、キャパシタ導体パターン１０４ｂとグランド導体パターン１０６との間に、ループビア構造の第４インダクタが構成されている。【００２６】
また、積層型ＬＣフィルタ１０００は、積層体１０１の内部に、キャパシタ導体パターン１０４ａ〜１０４ｄと、グランド導体パターン１０６とを使って、第１キャパシタ〜第４キャパシタが構成されている。【００２７】
まず、キャパシタ導体パターン１０４ａとグランド導体パターン１０６との間の容量によって第１キャパシタが構成されている。【００２８】
キャパシタ導体パターン１０４ｃとグランド導体パターン１０６との間の容量によって第２キャパシタが構成されている。【００２９】
キャパシタ導体パターン１０４ｄとグランド導体パターン１０６との間の容量によって第３キャパシタが構成されている。【００３０】
キャパシタ導体パターン１０４ｂとグランド導体パターン１０６との間の容量によって第４キャパシタが構成されている。【００３１】
そして、第１インダクタと第１キャパシタとが並列に接続されて第１ＬＣ共振器が構成されている。また、第２インダクタと第２キャパシタとが並列に接続されて第２ＬＣ共振器が構成され、第３インダクタと第３キャパシタとが並列に接続されて第３ＬＣ共振器が構成され、第４インダクタと第４キャパシタとが並列に接続されて第４ＬＣ共振器が構成されている。【００３２】
積層型ＬＣフィルタ１０００は、第１入出力端子１０２ａと第２入出力端子１０２ｂとの間に、第１ＬＣ共振器〜第４ＬＣ共振器が順番に接続され、４段のバンドパスフィルタが構成されている。
【先行技術文献】
【特許文献】
【００３３】
【特許文献１】特開２０１４-５７２７７号公報
【発明の概要】
【発明が解決しようとする課題】
【００３４】
積層型ＬＣフィルタ１０００は、第１インダクタ〜第４インダクタが、それぞれ、ビア導体と線路状導体パターンとビア導体が順番にループ状に接続された（線路状導体パターンの両側にビア導体が接続された）、単純なループビア構造によって構成されているため、第１インダクタ〜第４インダクタのインダクタンス値を、それぞれ、大きくすることが難しいという問題があった。すなわち、単純なループビア構造からなるインダクタは、インダクタ長に占める線路状導体パターンの両側に接続された２つのビア導体の長さの割合が大きいため、インダクタ長を大きくしてインダクタンス値を大きくするためには、２つのビア導体の長さを、それぞれ長くすることが効率的で好ましい。しかしながら、積層型ＬＣフィルタ１０００のような積層型ＬＣフィルタにおいて、インダクタを構成するビア導体の長さを長くしようとした場合、積層される誘電体層の層数を増やしたり、各誘電体層の厚みを大きくしたりすることが必要になり、積層型ＬＣフィルタ（積層体）の高さ寸法が大きくなってしまうという問題があった。そのため、積層型ＬＣフィルタ１０００は、第１インダクタ〜第４インダクタのインダクタンス値を大きくすることが難しかった。【００３５】
ＬＣフィルタ（積層型ＬＣフィルタを含む）においては、各ＬＣ共振器を構成するインダクタのインダクタンス値を大きくし、インダクタのＱ値を高くして、挿入損失を小さくすることが望ましい。しかしながら、積層型ＬＣフィルタ１０００は、高さ寸法が大きくなってしまうため、第１インダクタ〜第４インダクタのインダクタンス値を大きくし、第１インダクタ〜第４インダクタのＱ値を高くすることが難しく、挿入損失を小さくすることが難しかった。【００３６】
また、ＬＣフィルタ（積層型ＬＣフィルタを含む）においては、所望の周波数特性を得るために、各ＬＣ共振器を構成するインダクタのインダクタンス値を大きく設定したい場合がある。しかしながら、積層型ＬＣフィルタ１０００は、高さ寸法が大きくなってしまうため、第１インダクタ〜第４インダクタのインダクタンス値を大きくすることが難しく、所望の周波数特性を得るのが難しかった。【００３７】
一方、近年、スマートホン、タブレットコンピュータ、携帯電話、携帯型音楽プレーヤーなどの電子機器においては、市場において薄型化が望まれ、急速に薄型化が進んでいる。電子機器の薄型化にともない、電子機器に使用される電子部品においても、低背化（薄型化）が強く望まれ、積層型ＬＣフィルタも例外ではない。しかしながら、積層型ＬＣフィルタ１０００は、低背化すれば、第１インダクタ〜第４インダクタのそれぞれの２つのビア導体の長さが短くなることでインダクタンス値が小さくなり、Ｑ値が低くなるため、挿入損失が大きくなったり、所望の周波数特性を得ることができなくなったりする虞があり、低背化が難しいという問題があった。
【課題を解決するための手段】
【００３８】
本発明は、上述した従来の課題を解決するためになされたものであり、その手段として本発明の積層型ＬＣフィルタは、複数の誘電体層が積層された積層体と、誘電体層の層間に形成された複数の線路状導体パターンと、誘電体層の層間に形成された複数のキャパシタ導体パターンと、誘電体層の層間に形成された少なくとも１つのグランド導体パターンと、誘電体層を貫通して形成された複数のビア導体と、を備え、ビア導体と線路状導体パターンとが、交互に接続されることによって複数のインダクタが構成され、キャパシタ導体パターンとグランド導体パターンとの間の容量、または、キャパシタ導体パターン同士の間の容量によって複数のキャパシタが構成され、インダクタとキャパシタとが接続されて複数のＬＣ共振器が構成され、少なくとも１つのインダクタが、少なくとも３つの線路状導体パターンを含み、積層体を誘電体層の積層方向に透視したとき、そのインダクタが含む２つの線路状導体パターンが、相互に交差しているものとした。【００３９】
少なくとも１つのインダクタが、少なくとも第１線路状導体パターンと第２線路状導体パターンと第３線路状導体パターンとを含み、キャパシタ導体パターンと第１線路状導体パターンとがビア導体によって接続され、第１線路状導体パターンと第２線路状導体パターンとがビア導体によって接続され、第２線路状導体パターンと第３線路状導体パターンとがビア導体によって接続され、第３線路状導体パターンとグランド導体パターンとがビア導体によって接続され、積層体を誘電体層の積層方向に透視したとき、第１線路状導体パターンと第３線路状導体パターンとが交差しているものとすることができる。この場合には、容易に、本発明の積層型ＬＣフィルタを構成することができる。【００４０】
積層体の内部に、第２線路状導体パターンと第３線路状導体パターンと第１線路状導体パターンとが、この順番で積層され、第２線路状導体パターンと第３線路状導体パターンとの間の距離が、第３線路状導体パターンと第１線路状導体パターンと間の距離よりも長いことが好ましい。あるいは、積層体の内部に、第２線路状導体パターンと第１線路状導体パターンと第３線路状導体パターンとが、この順番で積層され、第２線路状導体パターンと第１線路状導体パターンとの間の距離が、第１線路状導体パターンと第３線路状導体パターンと間の距離よりも長いことが好ましい。これらの場合には、積層体内部の体積を有効に活用し、インダクタのインダクタンス値を大きくし、インダクタのＱ値を高くすることができる。【００４１】
交差の角度は、９０°であることが好ましい。この場合には、交差する線路状導体パターンがそれぞれ発生させる磁束が、相互に干渉するのを最小限に抑えることができ、インダクタのインダクタンス値を大きくし、インダクタのＱ値を高くすることができる。
【発明の効果】
【００４２】
本発明の積層型ＬＣフィルタは、インダクタのインダクタ長が大きいため、インダクタのインダクタンス値が大きく、その結果、インダクタのＱ値が大きい。したがって、本発明の積層型ＬＣフィルタは挿入損失が小さい。【００４３】
また、本発明の積層型ＬＣフィルタは、インダクタのインダクタンス値を大きくすることができ、インダクタのインダクタンス値を所望の値に設定することができるため、容易に所望の周波数特性を得ることができる。【００４４】
また、本発明の積層型ＬＣフィルタは、低背化しても、インダクタのインダクタンス値およびＱ値の低下を小さく抑えることができるため、低背化が可能である。
【図面の簡単な説明】
【００４５】
【図１】第１実施形態にかかる積層型ＬＣフィルタ１００の斜視図である。
【図２】積層型ＬＣフィルタ１００の分解斜視図である。
【図３】積層型ＬＣフィルタ１００の等価回路図である。
【図４】図４（Ａ）は積層型ＬＣフィルタ１００の要部斜視図である。図４（Ｂ）は積層型ＬＣフィルタ１００の要部平面図である。
【図５】積層型ＬＣフィルタ１００の周波数特性図である。
【図６】図６（Ａ）は比較例１にかかる積層型ＬＣフィルタ１２００の要部斜視図である。図６（Ｂ）は積層型ＬＣフィルタ１２００の要部平面図である。
【図７】積層型ＬＣフィルタ１２００の周波数特性図である。
【図８】図８（Ａ）は比較例２にかかる積層型ＬＣフィルタ１３００の要部斜視図である。図８（Ｂ）は積層型ＬＣフィルタ１３００の要部平面図である。
【図９】積層型ＬＣフィルタ１３００の周波数特性図である。
【図１０】第２実施形態にかかる積層型ＬＣフィルタ２００の分解斜視図である。
【図１１】特許文献１に開示された積層型ＬＣフィルタ１０００の分解斜視図である。
【発明を実施するための形態】
【００４６】
以下、図面とともに、本発明を実施するための形態について説明する。
【００４７】
なお、各実施形態は、本発明の実施の形態を例示的に示したものであり、本発明が実施形態の内容に限定されることはない。また、異なる実施形態に記載された内容を組合せて実施することも可能であり、その場合の実施内容も本発明に含まれる。また、図面は、明細書の理解を助けるためのものであって、模式的に描画されている場合があり、描画された構成要素または構成要素間の寸法の比率が、明細書に記載されたそれらの寸法の比率と一致していない場合がある。また、明細書に記載されている構成要素が、図面において省略されている場合や、個数を省略して描画されている場合などがある。
【００４８】
［第１実施形態］
図１〜図４に、第１実施形態にかかる積層型ＬＣフィルタ１００を示す。ただし、図１は積層型ＬＣフィルタ１００の斜視図である。図２は積層型ＬＣフィルタ１００の分解斜視図である。図３は積層型ＬＣフィルタ１００の等価回路図である。図４（Ａ）は積層型ＬＣフィルタ１００の要部斜視図である。図４（Ｂ）は積層型ＬＣフィルタ１００の要部平面図である。
【００４９】
積層型ＬＣフィルタ１００は、直方体形状からなる積層体１を備える。
【００５０】
積層体１の下側主面に、第１入出力端子２ａと、第２入出力端子２ｂと、グランド端子３が形成されている。
【００５１】
積層体１は、図２に示すように、たとえばセラミックなどからなる１９層の誘電体層１ａ〜１ｓが下から順番に積層されたものからなる。
【００５２】
誘電体層１ａの下側主面に、第１入出力端子２ａと、第２入出力端子２ｂと、グランド端子３が形成されている。
【００５３】
また、誘電体層１ａを貫通して、ビア導体４ａ、４ｂ、４ｃが形成されている。
【００５４】
また、誘電体層１ａの上側主面に、キャパシタ導体パターン５ａ、５ｂと、グランド導体パターン６ａが形成されている。キャパシタ導体パターン５ａと第１入出力端子２ａとが、ビア導体４ａによって接続されている。キャパシタ導体パターン５ｂと第２入出力端子２ｂとが、ビア導体４ｂによって接続されている。グランド導体パターン６ａとグランド端子３とが、ビア導体４ｃによって接続されている。
【００５５】
誘電体層１ｂを貫通して、ビア導体４ｄ、４ｅ、４ｆが形成されている。
【００５６】
また、誘電体層１ｂの上側主面に、キャパシタ導体パターン５ｃ、５ｄが形成されている。キャパシタ導体パターン５ｃとキャパシタ導体パターン５ｄとは、相互に接続されている。
【００５７】
誘電体層１ｃを貫通して、前出のビア導体４ｄ、４ｅ、４ｆが形成されている。なお、異なる誘電体層に形成された符号が同一のビア導体同士は相互に接合されている。たとえば、誘電体層１ｂに形成されたビア導体４ｄと、誘電体層１ｃに形成された４ｄとは相互に接合された一体物であり、同一の符号を付している。
【００５８】
また、誘電体層１ｃの上側主面に、キャパシタ導体パターン５ｅ、５ｆが形成されている。キャパシタ導体パターン５ｅとキャパシタ導体パターン５ａとが、ビア導体４ｄによって接続されている。キャパシタ導体パターン５ｆとキャパシタ導体パターン５ｂとが、ビア導体４ｅによって接続されている。
【００５９】
誘電体層１ｄを貫通して、前出のビア導体４ｆと、新たなビア導体４ｇ、４ｈが形成されている。
【００６０】
また、誘電体層１ｄの上側主面に、グランド導体パターン６ｂが形成されている。グランド導体パターン６ｂとグランド導体パターン６ａとが、ビア導体４ｆによって接続されている。
【００６１】
誘電体層１ｅを貫通して、前出のビア導体４ｇ、４ｈと、新たなビア導体４ｉが形成されている。
【００６２】
また、誘電体層１ｅの上側主面に、中継導体パターン７と、第２線路状導体パターン８ａ、８ｂが形成されている。中継導体パターン７と、グランド導体パターン６ｂとが、ビア導体４ｉによって接続されている。
【００６３】
誘電体層１ｆを貫通して、前出のビア導体４ｇ、４ｈと、新たなビア導体４ｊ、４ｋ、４ｌ、４ｍ、４ｎ、４ｏが形成されている。
【００６４】
また、誘電体層１ｆの上側主面に、第２線路状導体パターン８ｃ、８ｄが形成されている。なお、ビア導体を介した、線路状導体パターンの接続関係については、後ろでまとめて説明する。
【００６５】
誘電体層１ｇ〜１ｏは、ビア導体４ｇ、４ｈ、４ｊ、４ｋ、４ｌ、４ｍ、４ｎ、４ｏの長さを大きくするなどの目的で積層されたものである。
【００６６】
誘電体層１ｇ〜１ｏを貫通して、前出のビア導体４ｇ、４ｈ、４ｊ、４ｋ、４ｌ、４ｍ、４ｎ、４ｏが形成されている。
【００６７】
また、誘電体層１ｏの上側主面に、第３線路状導体パターン９ａ、９ｂが形成されている。
【００６８】
誘電体層１ｐを貫通して、前出のビア導体４ｇ、４ｈ、４ｊ、４ｋ、４ｌ、４ｍ、４ｎ、４ｏが形成されている。
【００６９】
また、誘電体層１ｐの上側主面に、第３線路状導体パターン９ｃ、９ｄが形成されている。
【００７０】
誘電体層１ｑを貫通して、前出のビア導体４ｇ、４ｈ、４ｊ、４ｋが形成されている。
【００７１】
また、誘電体層１ｑの上側主面に、第１線路状導体パターン１０ａ、１０ｂが形成されている。
【００７２】
誘電体層１ｒを貫通して、前出のビア導体４ｇ、４ｈ、４ｊ、４ｋが形成されている。
【００７３】
また、誘電体層１ｒの上側主面に、第１線路状導体パターン１０ｃ、１０ｄが形成されている。
【００７４】
誘電体層１ｓは保護層であり、キャパシタ導体パターン、グランド導体パターン、線路状導体パターン、ビア導体などは形成されていない。
【００７５】
図４（Ａ）に、積層型ＬＣフィルタ１００から、キャパシタ導体パターン５ｅ、５ｆ、グランド導体パターン６ｂ、中継導体パターン７、第２線路状導体パターン８ａ、８ｂ、８ｃ、８ｄ、第３線路状導体パターン９ａ、９ｂ、９ｃ、９ｄ、第１線路状導体パターン１０ａ、１０ｂ、１０ｃ、１０ｄ、ビア導体４ｇ、４ｈ、４ｉ、４ｊ、４ｋ、４ｌ、４ｍ、４ｎ、４ｏを抜き出して示す。なお、図４（Ａ）は斜視図である。
【００７６】
キャパシタ導体パターン５ｅと、第１線路状導体パターン１０ａ、１０ｃの一端とが、ビア導体４ｇによって接続されている。第１線路状導体パターン１０ａ、１０ｃの他端と、第２線路状導体パターン８ａ、８ｃの一端とが、ビア導体４ｊによって接続されている。第２線路状導体パターン８ａ、８ｃの他端と、第３線路状導体パターン９ａ、９ｃの一端とが、ビア導体４ｌによって接続されている。第３線路状導体パターン９ａ、９ｃの他端と、中継導体パターン７とが、ビア導体４ｎによって接続されている。中継導体パターン７と、グランド導体パターン６ｂとが、ビア導体４ｉによって接続されている。
【００７７】
積層型ＬＣフィルタ１００は、ビア導体４ｇ、第１線路状導体パターン１０ａ、１０ｃ、ビア導体４ｊ、第２線路状導体パターン８ａ、８ｃ、ビア導体４ｌ、第３線路状導体パターン９ａ、９ｃ、ビア導体４ｎ、中継導体パターン７、ビア導体４ｉを順に繋ぐ導体線路によって、第１インダクタＬ１が構成されている。
【００７８】
第１インダクタＬ１においては、第１線路状導体パターン１０ａと第１線路状導体パターン１０ｃ、第２線路状導体パターン８ａと第２線路状導体パターン８ｃ、第３線路状導体パターン９ａと第３線路状導体パターン９ｃとを、それぞれ１組として接続することにより、内部抵抗を小さくして、Ｑ値の向上をはかっている。
【００７９】
また、第１インダクタＬ１は、第２線路状導体パターン８ａ、８ｃと第３線路状導体パターン９ａ、９ｃとの間の距離が、第３線路状導体パターン９ａ、９ｃと第１線路状導体パターン１０ａ、１０ｃと間の距離よりも大きく設定されており、積層体１内部の体積が有効に活用されており、大きなインダクタンス値を備えている。
【００８０】
同様に、キャパシタ導体パターン５ｆと、第１線路状導体パターン１０ｂ、１０ｄの一端とが、ビア導体４ｈによって接続されている。第１線路状導体パターン１０ｂ、１０ｄの他端と、第２線路状導体パターン８ｂ、８ｄの一端とが、ビア導体４ｋによって接続されている。第２線路状導体パターン８ｂ、８ｄの他端と、第３線路状導体パターン９ｂ、９ｄの一端とが、ビア導体４ｍによって接続されている。第３線路状導体パターン９ｂ、９ｄの他端と、中継導体パターン７とが、ビア導体４ｏによって接続されている。中継導体パターン７と、グランド導体パターン６ｂとが、ビア導体４ｉによって接続されている。
【００８１】
積層型ＬＣフィルタ１００は、ビア導体４ｈ、第１線路状導体パターン１０ｂ、１０ｄ、ビア導体４ｋ、第２線路状導体パターン８ｂ、８ｄ、ビア導体４ｍ、第３線路状導体パターン９ｂ、９ｄ、ビア導体４ｏ、中継導体パターン７、ビア導体４ｉを順に繋ぐ導体線路によって、第２インダクタＬ２が構成されている。なお、中継導体パターン７およびビア導体４ｉの部分については、第１インダクタＬ１と第２インダクタＬ２とで兼用している。
【００８２】
第２インダクタＬ２においては、第１線路状導体パターン１０ｂと第１線路状導体パターン１０ｄ、第２線路状導体パターン８ｂと第２線路状導体パターン８ｄ、第３線路状導体パターン９ｂと第３線路状導体パターン９ｄとを、それぞれ１組として接続することにより、内部抵抗を小さくして、Ｑ値の向上をはかっている。
【００８３】
また、第２インダクタＬ２は、第２線路状導体パターン８ｂ、８ｄと第３線路状導体パターン９ｂ、９ｄとの間の距離が、第３線路状導体パターン９ｂ、９ｄと第１線路状導体パターン１０ｂ、１０ｄと間の距離よりも大きく設定されており、積層体１内部の体積が有効に活用されており、大きなインダクタンス値を備えている。
【００８４】
以上のような構造を備えた第１実施形態にかかる積層型ＬＣフィルタ１００は、従来から積層型ＬＣフィルタにおいて広く使用されている材料および製造方法を使用して、作製することができる。
【００８５】
以上のような構造を備えた第１実施形態にかかる積層型ＬＣフィルタ１００は、図３に示す等価回路を備えている。
【００８６】
積層型ＬＣフィルタ１００は、第１インダクタＬ１と第１キャパシタＣ１とが並列に接続された第１ＬＣ共振器と、第２インダクタＬ２と第２キャパシタＣ２とが並列に接続された第２ＬＣ共振器とを備える。第１ＬＣ共振器は、一端が第１入出力端子２ａに接続され、他端がグランドに接続されている。第２ＬＣ共振器は、一端が第２入出力端子２ｂに接続され、他端がグランドに接続されている。また、第１ＬＣ共振器の一端と、第２ＬＣ共振器の一端とが、キャパシタＣ３によって接続されている。
【００８７】
次に、積層型ＬＣフィルタ１００の構造と等価回路との関係について、図２〜図４を参照しながら説明する。
【００８８】
積層型ＬＣフィルタ１００において、第１インダクタＬ１は、上述したとおり、ビア導体４ｇ、第１線路状導体パターン１０ａ、１０ｃ、ビア導体４ｊ、第２線路状導体パターン８ａ、８ｃ、ビア導体４ｌ、第３線路状導体パターン９ａ、９ｃ、ビア導体４ｎ、中継導体パターン７、ビア導体４ｉを順に繋ぐ導体線路によって構成されている。
【００８９】
第１キャパシタＣ１は、キャパシタ導体パターン５ｅと、グランド導体パターン６ｂとの間の容量により構成されている。
【００９０】
第１インダクタＬ１の一端であるビア導体４ｇと、第１キャパシタＣ１の一方の電極であるキャパシタ導体パターン５ｅとが、相互に接続されている。また、第１インダクタＬ１の他端であるビア導体４ｉと、第１キャパシタＣ１の他方の電極であるグランド導体パターン６ｂとが、相互に接続されている。この結果、第１インダクタＬ１と第１キャパシタＣ１とが並列に接続され、第１ＬＣ共振器が構成されている。なお、キャパシタ導体パターン５ｅは、ビア導体４ｄ、キャパシタ導体パターン５ａ、ビア導体４ａを経由して、第１入出力端子２ａに接続されている。グランド導体パターン６ｂは、ビア導体４ｆ、グランド導体パターン６ａ、ビア導体４ｃを経由して、グランド端子３に接続されている。
【００９１】
第２インダクタＬ２は、上述したとおり、ビア導体４ｈ、第１線路状導体パターン１０ｂ、１０ｄ、ビア導体４ｋ、第２線路状導体パターン８ｂ、８ｄ、ビア導体４ｍ、第３線路状導体パターン９ｂ、９ｄ、ビア導体４ｏ、中継導体パターン７、ビア導体４ｉを順に繋ぐ導体線路によって構成されている。
【００９２】
第２キャパシタＣ２は、キャパシタ導体パターン５ｆと、グランド導体パターン６ｂとの間の容量により構成されている。
【００９３】
第２インダクタＬ２の一端であるビア導体４ｈと、第２キャパシタＣ２の一方の電極であるキャパシタ導体パターン５ｆとが、相互に接続されている。また、第２インダクタＬ２の他端であるビア導体４ｉと、第２キャパシタＣ２の他方の電極であるグランド導体パターン６ｂとが、相互に接続されている。この結果、第２インダクタＬ２と第２キャパシタＣ２とが並列に接続され、第２ＬＣ共振器が構成されている。なお、キャパシタ導体パターン５ｆは、ビア導体４ｅ、キャパシタ導体パターン５ｂ、ビア導体４ｂを経由して、第２入出力端子２ｂに接続されている。グランド導体パターン６ｂは、上述したとおり、ビア導体４ｆ、グランド導体パターン６ａ、ビア導体４ｃを経由して、グランド端子３に接続されている。
【００９４】
キャパシタＣ３は、キャパシタ導体パターン５ａ、５ｅとキャパシタ導体パターン５ｃとの間の容量、および、キャパシタ導体パターン５ｄとキャパシタ導体パターン５ｂ、５ｆとの間の容量によって構成されている。なお、上述したとおり、キャパシタ導体パターン５ｃとキャパシタ導体パターン５ｄとは、相互に接続されている。
【００９５】
以上のような構造および等価回路を備えた第１実施形態にかかる積層型ＬＣフィルタ１００は、第１インダクタＬ１および第２インダクタＬ２のインダクタンス値が大きく、Ｑ値が高く、挿入損失が小さいという特長を備えている。
【００９６】
図４（Ｂ）に、積層型ＬＣフィルタ１００から、第１インダクタＬ１および第２インダクタＬ２を構成する、中継導体パターン７、第２線路状導体パターン８ａ、８ｂ、８ｃ、８ｄ、第３線路状導体パターン９ａ、９ｂ、９ｃ、９ｄ、第１線路状導体パターン１０ａ、１０ｂ、１０ｃ、１０ｄ、ビア導体４ｇ、４ｈ、４ｉ、４ｊ、４ｋ、４ｌ、４ｍ、４ｎ、４ｏを抜き出して示す。図４（Ｂ）は平面図である。なお、図４（Ｂ）には、電流の流れる方向を破線矢印で示している。
【００９７】
図４（Ｂ）から分かるように、第１インダクタＬ１は、積層体１の積層方向に見たとき、第１線路状導体パターン１０ａ、１０ｃと、第３線路状導体パターン９ａ、９ｃとが、９０度の角度で交差している。第１インダクタＬ１は、このような構造をとることにより、インダクタ長が大きくなっており、大きなインダクタンス値と、高いＱ値を備えている。なお、第１線路状導体パターン１０ａ、１０ｃと第３線路状導体パターン９ａ、９ｃとを９０度の角度で交差させることにより、それぞれが発生させる磁束の干渉が最小限に抑えられており、インダクタンス値の低下が回避されている。
【００９８】
同様に、図４（Ｂ）から分かるように、第２インダクタＬ２は、積層体１の積層方向に見たとき、第１線路状導体パターン１０ｂ、１０ｄと、第３線路状導体パターン９ｂ、９ｄとが、９０度の角度で交差している。第２インダクタＬ２は、このような構造をとることにより、インダクタ長が大きくなっており、大きなインダクタンス値と、高いＱ値を備えている。なお、第１線路状導体パターン１０ｂ、１０ｄと第３線路状導体パターン９ｂ、９ｄとを９０度の角度で交差させることにより、それぞれが発生させる磁束の干渉が最小限に抑えられており、インダクタンス値の低下が回避されている。
【００９９】
積層型ＬＣフィルタ１００の周波数特性を、図５に示す。
【０１００】
また、比較のために、比較例１にかかる積層型ＬＣフィルタ１２００と、比較例２にかかる積層型ＬＣフィルタ１３００を用意した。
【０１０１】
比較例１にかかる積層型ＬＣフィルタ１２００を、図６（Ａ）、（Ｂ）に示す。図６（Ａ）は要部斜視図、図６（Ｂ）は要部平面図である。なお、図６（Ｂ）には、電流の流れる方向を破線矢印で示している。
【０１０２】
比較例１にかかる積層型ＬＣフィルタ１２００は、ヘリカル構造の第１インダクタＬ１１と第２インダクタＬ１２を備えている。積層型ＬＣフィルタ１２００の第１インダクタＬ１１、第２インダクタＬ１２以外の構成については、積層型ＬＣフィルタ１００と同じにした。なお、積層型ＬＣフィルタ１２００において、積層型ＬＣフィルタ１００と同一の構成部分については、同一の符号を付した。
【０１０３】
第１インダクタＬ１１は、ビア導体１４ｇ、第１線路状導体パターン２０ａ、２０ｃ、ビア導体１４ｊ、第２線路状導体パターン１８ａ、１８ｃ、ビア導体１４ｌ、第３線路状導体パターン１９ａ、１９ｃ、ビア導体１４ｎ、中継導体パターン７、ビア導体４ｉを順に繋ぐ導体線路によって構成されている。第１インダクタＬ１１は、導体線路がヘリカル構造をなしているが、第１線路状導体パターン２０ａ、２０ｃと第３線路状導体パターン１９ａ、１９ｃとが交差しておらず、積層型ＬＣフィルタ１００の第１インダクタＬ１に比べて、インダクタ長が小さく、インダクタンス値が小さく、Ｑ値が低い。
【０１０４】
第２インダクタＬ１２は、ビア導体１４ｈ、第１線路状導体パターン２０ｂ、２０ｄ、ビア導体１４ｋ、第２線路状導体パターン１８ｂ、１８ｄ、ビア導体１４ｍ、第３線路状導体パターン１９ｂ、１９ｄ、ビア導体１４ｏ、中継導体パターン７、ビア導体４ｉを順に繋ぐ導体線路によって構成されている。第２インダクタＬ１２は、導体線路がヘリカル構造をなしているが、第１線路状導体パターン２０ｂ、２０ｄと第３線路状導体パターン１９ｂ、１９ｄとが交差しておらず、積層型ＬＣフィルタ１００の第２インダクタＬ２に比べて、インダクタ長が小さく、インダクタンス値が小さく、Ｑ値が低い。
【０１０５】
比較例１にかかる積層型ＬＣフィルタ１２００の周波数特性を、図７に示す。
【０１０６】
比較例２にかかる積層型ＬＣフィルタ１３００を、図８（Ａ）、（Ｂ）に示す。図８（Ａ）は要部斜視図、図８（Ｂ）は要部平面図である。なお、図８（Ｂ）には、電流の流れる方向を破線矢印で示している。
【０１０７】
比較例２にかかる積層型ＬＣフィルタ１３００は、第１インダクタＬ２１と第２インダクタＬ２２を備えている。積層型ＬＣフィルタ１３００の第１インダクタＬ２１、第２インダクタＬ２２以外の構成については、積層型ＬＣフィルタ１００と同じにした。なお、積層型ＬＣフィルタ１３００において、積層型ＬＣフィルタ１００と同一の構成部分については、同一の符号を付した。
【０１０８】
第１インダクタＬ２１は、ビア導体２４ｇ、Ｌ字形状の第１線路状導体パターン３０ａ、３０ｃ、ビア導体２４ｊ、中継導体パターン７、ビア導体４ｉを順に繋ぐ導体線路によって構成されている。第１インダクタＬ２１は、積層型ＬＣフィルタ１００の第１インダクタＬ１および積層型ＬＣフィルタ１２００の第１インダクタＬ１１に比べて、インダクタ長が小さく、インダクタンス値が小さく、Ｑ値が低い。
【０１０９】
第２インダクタＬ２２は、ビア導体２４ｈ、Ｌ字形状の第１線路状導体パターン３０ｂ、３０ｄ、ビア導体２４ｋ、中継導体パターン７、ビア導体４ｉを順に繋ぐ導体線路によって構成されている。第２インダクタＬ２２は、積層型ＬＣフィルタ１００の第２インダクタＬ２および積層型ＬＣフィルタ１２００の第２インダクタＬ１２に比べて、インダクタ長が小さく、インダクタンス値が小さく、Ｑ値が低い。
【０１１０】
比較例２にかかる積層型ＬＣフィルタ１３００の周波数特性を、図９に示す。
【０１１１】
図５、図７、図９から分かるように、第１実施形態にかかる積層型ＬＣフィルタ１００、比較例１にかかる積層型ＬＣフィルタ１２００、比較例２にかかる積層型ＬＣフィルタ１３００は、それぞれ、バンドパスフィルタとしての周波数特性を備えている。
【０１１２】
積層型ＬＣフィルタ１００、積層型ＬＣフィルタ１２００、積層型ＬＣフィルタ１３００、それぞれにつき、通過帯域内の２．４００ＧＨｚ（Ｍ０１）、２．５００ＧＨｚ（Ｍ０２）と、通過帯域外の１．６０８ＧＨｚ（Ｍ０３）において、Ｓ（２、１）特性における減衰量を測定した。
【０１１３】
積層型ＬＣフィルタ１００の通過帯域内の減衰量は、２．４００ＧＨｚ（Ｍ０１）において−０．８２０ｄＢ、２．５００ＧＨｚ（Ｍ０２）において−０．７７１ｄＢであり、小さかった。
【０１１４】
これに対し、積層型ＬＣフィルタ１２００の通過帯域内の減衰量は、２．４００ＧＨｚ（Ｍ０１）において−０．８７３ｄＢ、２．５００ＧＨｚ（Ｍ０２）において−０．８８２ｄＢであり、大きかった。また、積層型ＬＣフィルタ１３００の通過帯域内の減衰量は、２．４００ＧＨｚ（Ｍ０１）において−１．２１２ｄＢ、２．５００ＧＨｚ（Ｍ０２）において−１．０８８ｄＢであり、さらに大きかった。
【０１１５】
第１実施形態にかかる積層型ＬＣフィルタ１００において、通過帯域内の減衰量が小さかったのは、第１インダクタＬ１および第２インダクタＬ２が、それぞれ、インダクタ長が大きく、インダクタンス値が大きく、Ｑ値が高いためであると考えられる。第１実施形態にかかる積層型ＬＣフィルタ１００は、比較例にかかる積層型ＬＣフィルタ１２００、１３００に比べて、挿入損失の小さい、優れた周波数特性を備えている。
【０１１６】
［第２実施形態］
図１０に、第２実施形態にかかる積層型ＬＣフィルタ２００を示す。ただし、図２は積層型ＬＣフィルタ２００の分解斜視図である。
【０１１７】
積層型ＬＣフィルタ２００は、第１実施形態にかかる積層型ＬＣフィルタ１００に対して、新たな構成を追加した。
【０１１８】
具体的には、積層型ＬＣフィルタ２００は、積層型ＬＣフィルタ１００の積層体１を構成する誘電体層１ｒと誘電体層１ｓとの間に、上側主面にグランド導体パターン１６ｃが形成された誘電体層１１ｘを追加した。また、積層型ＬＣフィルタ２００は、積層型ＬＣフィルタ１００の、一端が中継導体パターン７に接続されたビア導体４ｎ、４ｏの他端を、誘電体層１１ｘにまで延長させ、グランド導体パターン１６ｃに接続させた。すなわち、積層型ＬＣフィルタ１００では、ビア導体４ｎ、４ｏは、誘電体層１ｆ〜１ｐに形成されていたが、積層型ＬＣフィルタ２００では、ビア導体４ｎ、４ｏを、誘電体層１ｆ〜１ｐに加えて、誘電体層１ｑ、１ｒ、１１ｘにも形成した。
【０１１９】
第２実施形態にかかる積層型ＬＣフィルタ２００は、第１実施形態にかかる積層型ＬＣフィルタ１００が奏している効果に加えて、次のような効果を奏している。すなわち、積層型ＬＣフィルタ２００は、グランド導体パターン１６ｃによって、外部からのノイズの侵入が抑制され、外部からのノイズによる誤作動が抑制されている。また、積層型ＬＣフィルタ２００は、グランド導体パターン１６ｃによって、外部へのノイズの漏えいが抑制されている。
【０１２０】
以上、第１実施形態にかかる積層型ＬＣフィルタ１００、第２実施形態にかかる積層型ＬＣフィルタ２００について説明した。しかしながら、本発明が上述した内容に限定されることはなく、発明の趣旨に沿って、種々の変更をなすことができる。
【０１２１】
たとえば、積層型ＬＣフィルタ１００、２００では、２段のバンドパスフィルタを構成したが、フィルタの種類は任意であり、ハイパスフィルターや、ローパスフィルターであっても良い。また、段数も、２段には限定されず、３段以上であっても良い。また、フィルタの回路も任意であり、自由に設定することができる。
【０１２２】
また、積層型ＬＣフィルタ１００、２００では、積層体１の内部に、下から順番に、第２線路状導体パターン８ａ〜８ｄ、第３線路状導体パターン９ａ〜９ｄ、第１線路状導体パターン１０ａ〜１０ｄを積層したが、この順番を変更し、積層体１の内部に、下から順番に、第２線路状導体パターン８ａ〜８ｄ、第１線路状導体パターン１０ａ〜１０ｄ、第３線路状導体パターン９ａ〜９ｄを積層するようにしても良い。
【符号の説明】
【０１２３】
１、１１・・・積層体
１ａ〜１ｓ、１１ｘ・・・誘電体層
２ａ・・・第１入出力端子
２ｂ・・・第２入出力端子
３・・・グランド端子
４ａ〜４ｏ・・・ビア導体
５ａ〜５ｆ・・・キャパシタ導体パターン
６ａ、６ｂ、１６ｃ・・・グランド導体パターン
７・・・中継導体パターン
８ａ〜８ｄ・・・第２線路状導体パターン
９ａ〜９ｄ・・・第３線路状導体パターン
１０ａ〜１０ｄ・・・第１線路状導体パターン
Ｌ１・・・第１インダクタ
Ｌ２・・・第２インダクタ
【図１】
2018100918.tif 000003
【図２】
2018100918.tif 000004
【図３】
2018100918.tif 000005
【図４】
2018100918.tif 000006
【図５】
2018100918.tif 000007
【図６】
2018100918.tif 000008
【図７】
2018100918.tif 000009
【図８】
2018100918.tif 000010
【図９】
2018100918.tif 000011
【図１０】
2018100918.tif 000012
【図１１】
2018100918.tif 000013
【手続補正書】
【提出日】令和1年5月27日(2019.5.27)
【手続補正１】
【補正対象書類名】明細書
【補正対象項目名】０１１６
【補正方法】変更
【補正の内容】
【０１１６】
［第２実施形態］
図１０に、第２実施形態にかかる積層型ＬＣフィルタ２００を示す。ただし、図１０は積層型ＬＣフィルタ２００の分解斜視図である。
【国際調査報告】
2018100918.tif 000014
2018100918.tif 000015
2018100918.tif 000016
2018100918.tif 000017